【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
着色剤と樹脂材料とを第１の液体中で粉砕し、粉砕物分散液を得る湿式粉砕工程と、
前記湿式粉砕工程で得られた前記粉砕物分散液と、前記第１の液体よりも粘度が高い第２の液体とを混合する混合工程と、
を有することを特徴とする液体現像剤の製造方法。
【請求項２】
前記第１の液体の粘度Ｖ１は、０．５〜３０ｍＰａ・ｓである請求項１に記載の液体現像剤の製造方法。
【請求項３】
前記第２の液体の粘度Ｖ２は、３０〜１０００ｍＰａ・ｓである請求項１または２に記載の液体現像剤の製造方法。
【請求項４】
前記Ｖ１［ｍＰａ・ｓ］と、前記Ｖ２［ｍＰａ・ｓ］とは、
０．０００５≦Ｖ１／Ｖ２≦１
の関係を有する請求項１ないし３のいずれか１項に記載の液体現像剤の製造方法。
【請求項５】
前記第１の液体および前記第２の液体は、無極性の液体である請求項１ないし４のいずれか１項に記載の液体現像剤の製造方法。
【請求項６】
前記粉砕工程において、前記第１の液体中に分散剤が含まれている状態で、前記着色剤と前記樹脂材料を粉砕する請求項１ないし５のいずれか１項に記載の液体現像剤の製造方法。
【請求項７】
前記第１の液体と、前記着色剤および前記樹脂材料とを混合する前に、前記第１の液体と分散剤とを混合する請求項１ないし６のいずれか１項に記載の液体現像剤の製造方法。
【請求項８】
前記第１の液体は、鉱物油である請求項１ないし７のいずれか１項に記載の液体現像剤の製造方法。
【請求項９】
前記第２の液体は、植物油である請求項１ないし８のいずれか１項に記載の液体現像剤の製造方法。
【請求項１０】
前記樹脂材料は、エポキシ樹脂、ポリエステル樹脂のうち、少なくとも一方を含む請求項１ないし９のいずれか１項に記載の液体現像剤の製造方法。
【請求項１１】
着色剤と樹脂材料とを含むトナー材料を第１の液体中で粉砕し、粉砕物分散液を得る湿式粉砕工程と、前記湿式粉砕工程で得られた前記粉砕物分散液と、前記第１の液体よりも粘度が高い第２の液体とを混合する混合工程とにより製造されたことを特徴とする液体現像剤。
【請求項１２】
前記液体現像剤に対し、前記第１の液体の含有量をＡ［ｗｔ％］、前記第２の液体の含有量をＢ［ｗｔ％］としたとき、０．１≦Ａ／Ｂ≦９の関係を満足する請求項１１に記載の液体現像剤。
【請求項１３】
着色剤と樹脂材料とを含むトナー材料を第１の液体中で粉砕し、粉砕物分散液を得る湿式粉砕工程と、前記湿式粉砕工程で得られた前記粉砕物分散液と、前記第１の液体よりも粘度が高い前記第２の液体とを混合する混合工程とにより製造された液体現像剤を有することを特徴とする現像装置。
【請求項１４】
着色剤と樹脂材料とを含むトナー材料を第１の液体中で粉砕し、粉砕物分散液を得る湿式粉砕工程と、前記湿式粉砕工程で得られた前記粉砕物分散液ならびに前記第１の液体よりも粘度が高い第２の液体を混合する混合工程とにより製造された液体現像剤を有する現像装置と、
潜像担持体と、
前記現像装置により現像された像を転写する転写装置と、
前記転写装置により転写された転写材を加熱定着する定着装置と、
を有することを特徴とする画像形成装置。
【手続補正２】
【補正対象書類名】明細書
【補正対象項目名】発明の名称
【補正方法】変更
【補正の内容】
【発明の名称】液体現像剤の製造方法、液体現像剤、現像装置および画像形成装置
【手続補正３】
【補正対象書類名】明細書
【補正対象項目名】０００１
【補正方法】変更
【補正の内容】
【０００１】
本発明は、液体現像剤の製造方法、液体現像剤、現像装置および画像形成装置に関するものである。
【手続補正４】
【補正対象書類名】明細書
【補正対象項目名】０００７
【補正方法】変更
【補正の内容】
【０００７】
本発明の目的は、十分に小さい大きさのトナー粒子が安定して分散した液体現像剤を提供すること、また、このような液体現像剤を効率良く製造することが可能な液体現像剤の製造方法を提供すること、また、このような液体現像剤が適用される現像装置および画像形成装置を提供することにある。
【手続補正５】
【補正対象書類名】明細書
【補正対象項目名】０００８
【補正方法】変更
【補正の内容】
【０００８】
このような目的は、下記の本発明により達成される。
本発明の液体現像剤の製造方法は、着色剤と樹脂材料とを第１の液体中で粉砕し、粉砕物分散液を得る湿式粉砕工程と、
前記湿式粉砕工程で得られた前記粉砕物分散液と、前記第１の液体よりも粘度が高い第２の液体とを混合する混合工程と、
を有することを特徴とする。
これにより、十分に小さい大きさのトナー粒子が安定して分散した液体現像剤を効率良く製造することができる。
【手続補正６】
【補正対象書類名】明細書
【補正対象項目名】０００９
【補正方法】変更
【補正の内容】
【０００９】
本発明の液体現像剤の製造方法では、前記第１の液体の粘度Ｖ１は、０．５〜３０ｍＰａ・ｓであることが好ましい。
これにより、十分に小さい粒径のトナー粒子をより効率良く得ることができる。
本発明の液体現像剤の製造方法では、前記第２の液体の粘度Ｖ２は、３０〜１０００ｍＰａ・ｓであることが好ましい。
これにより、絶縁性液体（液体現像剤）の粘度をより容易に好適なものとするとともに、トナー粒子の分散性をより高いものとすることができる。
【手続補正７】
【補正対象書類名】明細書
【補正対象項目名】００１０
【補正方法】変更
【補正の内容】
【００１０】
本発明の液体現像剤の製造方法では、前記Ｖ１［ｍＰａ・ｓ］と、前記Ｖ２［ｍＰａ・ｓ］とは、
０．０００５≦Ｖ１／Ｖ２≦１
の関係を有することが好ましい。
これにより、十分に小さい粒径のトナー粒子をより効率良く得ることができるとともに、トナー粒子の分散性をさらに高いものとすることができる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明の液体現像剤の製造方法では、前記第１の液体および前記第２の液体は、無極性の液体であることが好ましい。
これにより、絶縁性液体の電気抵抗（絶縁性）を高いものとしつつ、第１の液体と第２の液体との相溶性を向上させることができる。その結果、液体現像剤としての保存性が向上する。
【手続補正１０】
【補正対象書類名】明細書
【補正対象項目名】００１３
【補正方法】変更
【補正の内容】
【００１３】
本発明の液体現像剤の製造方法では、前記粉砕工程において、前記第１の液体中に分散剤が含まれている状態で、前記着色剤と前記樹脂材料を粉砕することが好ましい。
これにより、分散剤が粉砕助剤として働き、十分に小さい粒径のトナー粒子をより効率良く得ることができるとともに、得られるトナー粒子の分散性をより高いものとすることができる。
【手続補正１１】
【補正対象書類名】明細書
【補正対象項目名】００１４
【補正方法】変更
【補正の内容】
【００１４】
本発明の液体現像剤の製造方法では、前記第１の液体と、前記着色剤および前記樹脂材料とを混合する前に、前記第１の液体と分散剤とを混合することが好ましい。
これにより、最終的に得られる液体現像剤の帯電特性を向上させることができる。
本発明の液体現像剤の製造方法では、前記第１の液体は、鉱物油であることが好ましい。
これにより、十分に小さい粒径のトナー粒子をより効率良く得ることができる。また、鉱物油は、トナー粒子との親和性が高く、第２の液体と混合した際に、トナー粒子を好適に包み込むことができる。その結果、トナー粒子の分散性がさらに向上し、より保存安定性の高い液体現像剤とすることができる。
【手続補正１２】
【補正対象書類名】明細書
【補正対象項目名】００１５
【補正方法】変更
【補正の内容】
【００１５】
本発明の液体現像剤の製造方法では、前記第２の液体は、植物油であることが好ましい。
これにより、環境に優しい液体現像剤を提供することができる。また、トナー粒子の分散性をより高いものとすることができ、得られる液体現像剤の保存安定性をより高いものとすることができる。
【手続補正１３】
【補正対象書類名】明細書
【補正対象項目名】００１６
【補正方法】変更
【補正の内容】
【００１６】
本発明の液体現像剤の製造方法では、前記樹脂材料は、エポキシ樹脂、ポリエステル樹脂のうち、少なくとも一方を含むものであることが好ましい。
これにより、十分に小さい粒径のトナー粒子をより効率良く得ることができるとともに、液体現像剤中におけるトナー粒子の分散性をより高いものとすることができる。
本発明の液体現像剤は、着色剤と樹脂材料とを含むトナー材料を第１の液体中で粉砕し、粉砕物分散液を得る湿式粉砕工程と、前記湿式粉砕工程で得られた前記粉砕物分散液と、前記第１の液体よりも粘度が高い第２の液体とを混合する混合工程とにより製造されたことを特徴とする。
これにより、十分に小さい大きさのトナー粒子が安定して分散した液体現像剤を提供することができる。
本発明の液体現像剤では、前記液体現像剤に対し、前記第１の液体の含有量をＡ［ｗｔ％］、前記第２の液体の含有量をＢ［ｗｔ％］としたとき、０．１≦Ａ／Ｂ≦９の関係を満足することが好ましい。
本発明の現像装置は、着色剤と樹脂材料とを含むトナー材料を第１の液体中で粉砕し、粉砕物分散液を得る湿式粉砕工程と、前記湿式粉砕工程で得られた前記粉砕物分散液と、前記第１の液体よりも粘度が高い前記第２の液体とを混合する混合工程とにより製造された液体現像剤を有することを特徴とする。
本発明の画像形成装置は、着色剤と樹脂材料とを含むトナー材料を第１の液体中で粉砕し、粉砕物分散液を得る湿式粉砕工程と、前記湿式粉砕工程で得られた前記粉砕物分散液ならびに前記第１の液体よりも粘度が高い第２の液体を混合する混合工程とにより製造された液体現像剤を有する現像装置と、
潜像担持体と、
前記現像装置により現像された像を転写する転写装置と、
前記転写装置により転写された転写材を加熱定着する定着装置と、
を有することを特徴とする。
【手続補正１４】
【補正対象書類名】明細書
【補正対象項目名】００１７
【補正方法】変更
【補正の内容】
【００１７】
以下、本発明の液体現像剤の製造方法、液体現像剤、現像装置および画像形成装置の好適な実施形態について、詳細に説明する。
本発明の液体現像剤は、トナー粒子が絶縁性液体中に分散したものである。
また、絶縁性液体は、第１の液体と、第１の液体よりも粘度が高い第２の液体とを含むものである。